(57)【特許請求の範囲】
【請求項１】
第１の袋と、この第１の袋の上に重ね置きした第２の袋と、前記第１の袋に設けた一個又は数個の指圧突起と、この指圧突起が挿入される一個又は数個の孔を前記第２の袋に設けた指圧器具であって、
前記第１の袋の膨張で、前記指圧突起を上方に移動可能とし、前記第２の袋の膨張で、前記指圧突起を下方に移動可能とした構成の指圧器具。
【請求項２】
第１の袋と、この第１の袋の上に重ね置きした第２の袋と、前記第１の袋に設けた一個又は数個の指圧突起と、この指圧突起が挿入される一個又は数個の孔を前記第２の袋に設け、また前記第１の袋、第２の袋を収容し、かつ前記指圧突起が挿入可能な一個又は数個の孔を設けたカバーとでなる指圧器具であって、
前記第１の袋の膨張で、前記指圧突起を上方に移動可能とし、前記第２の袋の膨張で、前記指圧突起を下方に移動可能とした構成の指圧器具。
【請求項３】
上記の第１の袋及び／又は第２の袋の膨張を間欠的に行う構成とした請求項１、請求項２に記載の指圧器具。
【発明の詳細な説明】
【０００１】
【産業上の利用分野】
本発明は、指圧器具に関する。
【０００２】
【従来の技術】
従来の指圧器具は、指圧部（凸部）の上に使用者が仰向けに寝た状態で使用する場合が多く、指圧部が２〜６ケ、多いもので１０ケ以上のものも有るが指圧部がエアーにより押し上げられて指圧効果が生ずるが、エアーを抜く時は体重の圧力（体重とする）により、バルブを通してエアーを抜く（排気とする）ものであり精確な時間のコントロールが、困難である。また前記体重を利用して、排気する構成では、排気スピードが遅いこと、体重の軽い人又は年配者による使用、或いは体重が掛かり難い部位での使用等では、排気のスピードが遅くなり、スピーディーな使用が困難視されること、等の弊害がある。尚、指圧は、基本的には、呼吸に対応して指圧突起を上下動することが理に適っており、かつ指圧効果も発揮されること、又は治療者にとっては、心地よい指圧となると考えられている。従って、この考えに対応した指圧器具が要求される処である。
【０００３】
ここで、先行技術を２件説明する。（１）は特開平４−２６６７５７号のエアーマット（文献（１））であり、複数の第１のエアー袋を並列に配置し、複数の第２のエアー袋を第１のエアー袋に直交するように第１のエアー袋に重ねた構成であって、第１・第２の袋を個別に膨張、収縮させて、多彩なマッサージ感を発揮することにある。（２）は実開平４−８４１号の押し揉み治療器（文献（２））であり、曲面状外周面を備えた台部に数個の孔及び空洞部を形成し、この空洞部に設けた弾性体の拡縮で、当該弾性体に設けた突起部が前記孔から出没する構成であり、突起部の踏み圧（押圧）及び開放によって、前記突起部を上下動して、足裏のつぼを刺激することにある。
【０００４】
【発明が解決しようとする課題】
前記文献（１）は、第１・第２のエアー袋を、少くとも個別に拡縮（膨張・収縮）することで、多彩なマッサージ感を発揮することにある。しかし、単に第１・第２の袋の拡縮であり、つぼの刺激という本来の指圧効果は期待できないと思われる。また文献（１）の第１・第２の袋は、単にクロス状に配置された構成であるので、第１・第２の袋の安定性に欠けること、横向きでの姿勢が不安定になること、等が問題と思われる。
【０００５】
また文献（２）は、台部の押圧及び押圧開放による指圧であるので、治療者の動作に左右されることから、確実かつ安定した指圧効果が期待できず、しかも治療者の呼吸に順応する動作は困難視される。また文献（２）の考案の名称の如く、押し揉み治療器であり、横臥による使用に適さない構成である。
【０００６】
【課題を解決するための手段】
請求項１の発明は、指圧突起の確実、かつ迅速な上下動を利用して変化に富んだ指圧バリエーションを確保すること、指圧の効果を図ること、指圧を楽しむこと、又は各種の治療に役立てること、又は何人に対しても効果的で、しかも確実かつ迅速に作用する指圧器具を提供すること、等を意図する。
【０００７】
請求項１は、第１の袋と、この第１の袋の上に重ね置きした第２の袋と、前記第１の袋に設けた一個又は数個の指圧突起と、この指圧突起が挿入される一個又は数個の孔を前記第２の袋に設けた指圧器具であって、
前記第１の袋の膨張で、前記指圧突起を上方に移動可能とし、前記第２の袋の膨張で、前記指圧突起を下方に移動可能とした構成の指圧器具である。
【０００８】
請求項２の発明は、請求項１の効果を、確実に達成し、かつ何人に対しても効果的かつ快適な指圧を享受できる指圧器具を提供することを意図する。
【０００９】
請求項２は、第１の袋と、この第１の袋の上に重ね置きした第２の袋と、前記第１の袋に設けた一個又は数個の指圧突起と、この指圧突起が挿入される一個又は数個の孔を前記第２の袋に設け、また前記第１の袋、第２の袋を収容し、かつ前記指圧突起が挿入可能な一個又は数個の孔を設けたカバーとでなる指圧器具であって、
前記第１の袋の膨張で、前記指圧突起を上方に移動可能とし、前記第２の袋の膨張で、前記指圧突起を下方に移動可能とした構成の指圧器具である。
【００１０】
請求項３の発明は、指圧器具の簡便かつ自由な使用を介して変化に富んだ指圧バリエーションを確保すること、及びこれにより何人に対しても効果的で、かつ快適な指圧を享受できる指圧器具を提供することを意図する。
【００１１】
請求項３は、第１の袋及び／又は第２の袋の膨張を間欠的に行う構成とした指圧器具である。
【００１２】
【００１３】
【００１４】
【発明の実施の態様】
本発明の使用の一例を説明する。
【００１５】
図４、図５に示す制御部の電源を入れ、制御部本体の圧力設定ダイヤルを適当な圧力値（例えば、第１の袋の圧力の上限値）を設定し、かつタイマー等のスイッチを入れることで、ポンプ駆動回路をオンにする。このポンプ駆動回路のオンで、エアーポンプ（コンプレッサ）が回転され、エアーポンプが作動し始め、エアーポンプからエアーを給排気管（エアーホース）を介して第１の袋に送り込むことで、図３（ロ）の如く、第１の袋が膨張すると、指圧突起が上昇して、使用者の背中及び適宜部位等を押圧する。その後、第１の袋の圧力が高まって行き、圧力設定ダイヤルによって設定された上限値まで圧力が高まり、それを圧力検知部が検出すると、制御部本体のポンプ駆動回路をオフしてエアーポンプを停止する。
【００１６】
その後、所定時間（例えば０〜１０秒）経過後に、エアー抜き弁を開放して、第１の袋のエアーを排気する。この排気の際に、ポンプ駆動回路の切換え及び／又はオンとにより、エアーポンプが作動し始め、このエアーポンプからエアーを給排気管を介して第２の袋に送り込むことで、図３（ハ）の如く、第２の袋が膨張して、第１の袋の空気圧を、例えば、強制的又は自動的に低下（減圧又は脱気）し、当該第１の袋を収縮する。この第１の袋の収縮で、指圧突起が降下して、使用者の背中及び適宜部位等への押圧を順次開放する。この第２の袋の圧力が高まって行き、圧力設定ダイヤルによって設定された上限値まで圧力が高まり、それを圧力検知部が検出すると、制御部本体のポンプ駆動回路をオフしてエアーポンプを停止する。
【００１７】
そして、所定時間（例えば０〜１０秒）経過後に、ポンプ駆動回路の切換え及び／又はオンとによりエアーポンプを作動させるとともに、エアー抜き弁を閉じて、第１の袋が膨張し、前述と同様に指圧突起の上昇を図る。尚、他の例としては、所定時間経過後ではなく、空気圧が所定の下限値まで低下したことを、圧力検知部が検出したとき、制御部本体のポンプ駆動回路を再びオンし、エアーポンプを作動して、エアー抜き弁を閉じ、第１の袋が膨張し、前述と同様に指圧突起の上昇を図る操作でもよい。
【００１８】
前述した操作の繰り返しで、人体の指圧を行う。但し、指圧突起の上昇・降下を利用して指圧効果を発揮する好ましい一例は、使用者の呼吸に合せて、第１・２の袋を拡縮する使用の仕方が理想である。また指圧突起の上昇・降下は、必要により、適宜変更される。
【００１９】
図３（イ）は、第１・２の袋が、圧縮した状態を示す。
【００２０】
尚、第１・第２の袋を、人体に配置する方法は、図示の例の横置きに限定されず自由であり、後述の如く、捲装方法、足踏み方法、等も可能である。また以上の第１・第２の袋の操作と、指圧突起の上下動との組合せは、この例に限定されず、種々の使用方法がある。また制御部の動作及び構成も一例である。
【００２１】
【実施例】
以下、本発明の一実施例を説明する。
【００２２】
本発明の指圧器具は、図１〜図３のゴム、プラスチック、他の可撓性部材等でなる第１の袋１００と、この第１の袋１００に設けたゴム、プラスチック、他の可撓性部材等でなる指圧突起２００と、ゴム、プラスチック、他の可撓性部材等でなる第２の袋３とをカバー４０に内装した構成を意図する。尚、カバー４０は、図示の如く、指圧突起２００の上限の決定、又は脱抜防止、又は安定性、確実な動作の確保等を意図する。
【００２３】
第１・２の袋１００・３にはエアー供給・排気用の第１の袋の給排気管５、第２の袋の給排気管６がそれぞれ設けられている。またこの第１・２の袋１００・３は縦及び／又は横方向で分割する構成もある。
【００２４】
図１〜図３では、指圧突起２００は、第２の袋３に設けた一個又は数個の孔３００に挿入されている。従って、カバー４０の孔４００の形状、大きさ、部材等の変更又は省略することも可能である。また、指圧突起２００の高さ又は径等を、大小として体形に沿った形態とする構成、又はこの指圧突起２００の個別の上下動を意図して、指圧突起２００が個々に動く構成（図示せず）、等もある。前記カバー４０の孔４００に設ける構成は、安定性があるので、使用の安定性の確保、誰でも使用できること、等の有益と、又は多様な指圧突起２００の動きを確保できるので、指圧の効果が図れること、指圧を楽しむこと、又は各種の治療に役立てること、等の特徴とがある。またカバー４０は、固定式、拡縮式、組立・分解式等の何れでもよい。さらにカバー４０は、第１の袋１００及び／又は第２の袋３のズレ防止及び／又は安全性、確実な拡縮の動作等が図れることを意図して、クリップ、ひも、布袋ネット等に代替する構成（図示せず）等も採用できる。尚、カバー４０の孔４００は可撓性部材で閉塞することも可能である。
【００２５】
８０は制御部であって、この制御部８０は、電源部８１と、タイマー８２と、ポンプ駆動回路８３と、このポンプ駆動回路８３で駆動されるポンプ８４と、制御部本体８５と、この制御部本体８５に設けたスイッチ８５０、圧力設定ダイヤル８５１と、エアー抜き弁８６と、圧力検知部８７とを有してなる。尚、ポンプ８４は、第１・第２の袋の給排気管５、６、エアー抜き弁８６、圧力検知部８７に接続されている。この制御部８０は、例えば、第１・第２の袋１００、３の圧力の上限値を設定する圧力設定ダイヤル８５１の設定と、スイッチ８５０及び圧力検知部８７からの信号等に基づいてタイマー８２、ポンプ駆動回路８３、又はエアー抜き弁８６を制御する。
【００２６】
図中９はクッション、当て部材等の補助部材を示す。Ｈは人、Ｈ１は身体を示す。また補助部材９に指圧突起（図示せず）を設けることも可能である。
【００２７】
図示しないが、本発明の指圧器具は、身体Ｈ１の各部位に、捲装して使用する構成も可能であり、ひも、面ファスナー、ホックなどを利用して捲き付けて使用する。
【００２８】
【発明の効果】
請求項１の発明は、第１の袋と、第１の袋の上に重ね置きした第２の袋と、第１の袋に設けた一個又は数個の指圧突起と、指圧突起が挿入される一個又は数個の孔を第２の袋に設けた指圧器具であって、第１の袋の膨張で、指圧突起を上方に移動可能とし、第２の袋の膨張で、指圧突起を下方に移動可能とした構成の指圧器具である。従って、指圧突起の自由な上下動と、この上下動と第２の袋の拡縮を介して変化に富んだ指圧バリエーションが確保できること、指圧の効果が図れること、指圧を楽しむこと、又は各種の治療に役立て得ること、又は何人に対しても効果的かつ快適な指圧を享受できる指圧器具を提供できること、等の特徴がある。
【００２９】
請求項２の発明は、第１の袋と、第１の袋の上に重ね置きした第２の袋と、第１の袋に設けた一個又は数個の指圧突起と、指圧突起が挿入される一個又は数個の孔を第２の袋に設け、また第１の袋、第２の袋を収容し、かつ指圧突起が挿入可能な一個又は数個の孔を設けたカバーとでなる指圧器具であって、第１の袋の膨張で、指圧突起を上方に移動可能とし、第２の袋の膨張で、指圧突起を下方に移動可能とした構成の指圧器具である。従って、請求項１の効果を、確実に達成し、かつ何人に対しても効果的で、しかも快適な指圧を享受できる指圧器具を提供できる。
【００３０】
請求項３の発明は、第１の袋及び／又は第２の袋の膨張を間欠的に行う構成とした指圧器具である。従って、指圧器具の簡便かつ自由な使用を介して変化に富んだ指圧バリエーションが確保できること、及びこれにより何人に対しても効果的かつ快適な指圧を享受できる指圧器具を提供できる。
【００３１】
【図面の簡単な説明】
【図１】 請求項２に対応する指圧器具を示す一部欠截の拡大斜視図である。
【図２】 図１の例の斜視図である。
【図３】 図１の例の動作を示す断面図であり、（イ）は第１・第２の袋の縮んだ状態を、      （ロ）は第１の袋が膨らんだ状態、（ハ）は第２の袋が膨らんだ状態を、それぞれ      示す。
【図４】      制御部と指圧器具との関係を説明する一部省略の縮尺平面図である。
【図５】      制御部を説明するブロック図である。
【図６】      指圧器具の使用の一例を説明する図であり、（イ）は俯瞰した状態を、（ロ）は側
面視した状態を、それぞれ示す。
【図７】      他の指圧器具の使用の一例を説明する図であり、（イ）は俯瞰した状態を、（ロ）
は側面視した状態を、それぞれ示す。
【図８】      指圧器具の使用のさらに他の一例を説明する図であり、（イ）は俯瞰した状態を、    （ロ）は側面視した状態を、それぞれ示す。
【図９】      指圧器具と補助部材との関係を説明する拡大図である。
【符号の説明】
１００      第１の袋
２００      指圧突起
３          第２の袋
３００      孔
４０        カバー
４００      孔
５          第１の袋の給排気管
６          第２の袋の給排気管
８０        制御部
８１        電源部
８２        タイマー
８３        ポンプ駆動回路
８４        ポンプ
８５        制御部本体
８５０      スイッチ
８５１      圧力設定ダイヤル
８６        エアー抜き弁
８７        圧力検知部
９          補助部材
Ｈ          人
Ｈ１        身体
【図１】
0003611504.tif 000002
【図２】
0003611504.tif 000003
【図３】
0003611504.tif 000004
【図４】
0003611504.tif 000005
【図５】
0003611504.tif 000006
【図６】
0003611504.tif 000007
【図７】
0003611504.tif 000008
【図８】
0003611504.tif 000009
【図９】
0003611504.tif 000010